(57)【要約】【課題】横出しコネクタ用の受け治具に横出しコネクタを収容した状態で、支線を幹線に対して垂直方向に分岐結束できるようにする。【解決手段】電線端末の端子がコネクタの端子収容室に挿入された後に電線が屈曲されて横出しされると共に相手方コネクタと結合用のレバーが備えられた横出しコネクタの受け治具であって、ワイヤハーネス組立台から立設される支軸の上端にコネクタ収容部を備え、該コネクタ収容部は上面開口のボックス形状で、その一側壁に横出しコネクタを垂直姿勢とした時にレバーを挿通させるレバー用切欠を設けている。【選択図】  図１
2004220858.tif 000002
【特許請求の範囲】
【請求項１】
端子挿入面に対して電線が屈曲されて横出しされると共に相手方コネクタと結合用のレバーが備えられた横出しコネクタの受け治具であって、
ワイヤハーネス組立台から立設される支軸の上端に取り付けられる上面開口のボックス形状のコネクタ収容部を備え、該コネクタ収容部は、上記横出しコネクタを、その端子挿入面が水平方向の上面となる水平姿勢で装着できると共に、該水平姿勢より９０度向きを変えて上記端子挿入面を垂直方向の側面となる垂直姿勢で装着できる形状とし、かつ、一側壁に上記横出しコネクタを垂直姿勢で嵌合した時に上記レバーを挿通させるレバー用切欠を設けていることを特徴とする横出しコネクタの受け治具。
【請求項２】
上記コネクタ収容部の底壁に位置決め用凹部を設け、上記水平姿勢で横出しコネクタを装着した時に、該横出しコネクタの下部を上記位置決め用凹部に嵌合させて位置決め保持し、かつ、上記レバー用切欠を設けた側壁と直交方向の電線引出側の側壁に電線群引出用開口を設けている請求項１に記載の横出しコネクタの受け治具。
【請求項３】
上記請求項１に記載の横出しコネクタの受け治具に上記横出しコネクタを装着し、電線群を横出して行うワイヤハーネスの製造方法であって、  ワイヤハーネス組立台上には、上記横出しコネクタの受け治具に収容した上記横出しコネクタと接続する幹線の電線群と該幹線から分岐する支線の電線群とを支持する分岐用電線保持治具と、上記支線端末に接続された別のコネクタを保持する支線コネクタ受け治具を立設しており、
上記横出しコネクタの受け治具に水平姿勢で収容した上記横出しコネクタに、上記分岐用電線保持治具で支持された幹線の電線群の端子を挿入すると共に、上記支線の電線群を上記分岐用電線保持治具で支持して分岐させ、該支線端末のコネクタを上記支線コネクタ用受け治具で支持し、
上記横出しコネクタに上記幹線の電線群の端子を接続後に垂直姿勢として上記横出しコネクタ受け治具に挿入保持し、この状態で上記分岐用電線保持治具で支持された分岐位置で上記幹線と支線の電線群をテープ巻き結束して分岐方向を特定し、
上記幹線の経路に対して、上記支線コネクタ用受け治具の立設位置を直交方向のいずれか一方に配置することにより、支線を幹線に対して上向きあるいは下向きに分岐結束しているワイヤハーネスの製造方法。
【発明の詳細な説明】
【０００１】
【発明の属する技術分野】
本発明は、横出しコネクタの受け治具および該治具を用いたワイヤハーネスの製造方法に関し、詳しくは、横出しコネクタを接続した幹線と、該幹線から分岐する支線の電線群を分岐結束する際に、支線を幹線より下向き或いは上向きに分岐するように方向性を特定できるようにするものである。
【０００２】
【従来の技術】
従来、コネクタから電線を横出して形成するために、図８に示す横出しコネクタ受け治具１が提供されている。該受け治具１はワイヤハーネス組立台２上に立設され、その軸部１ａの上端に設けた上面開口のコネクタ装着部１ｂに、コネクタ３を端子収容室３ａが上向きに開口した状態でセットし、電線４の端末に接続された端子５を上方から端子収容室３ａに挿入し、真上に引き出した後に横方向Ｘへと屈曲させている。（特開２００１−１１８６５８号参照）
【０００３】
また、上記ワイヤハーネスの幹線４ａから分岐する支線４ｂを作製する場合、図９に示すように、ワイヤハーネスＷ／Ｈの分岐位置を規定するための電線保持治具６と支線４ｂの端末に接続したコネクタ７を保持するためのコネクタ受け治具８を所要箇所に配置している。
【０００４】
【特許文献１】
特開２００１−１１８６５８号公報
【０００５】
【発明が解決しようとする課題】
しかしながら、上記のように、コネクタ受け治具で横出しコネクタを支持し、その端子収容室３ａが上向きに開口した状態で電線が横出しされた幹線と、該幹線から分岐する支線とを分岐位置でテープ巻結束した場合、幹線と支線とは水平方向に分岐方向が特定されることとなる。
上記横出しコネクタの端子挿入面を上向配置した状態で、該横出しコネクタと接続される幹線から分岐された支線は、自動車への配索時に、幹線から垂直方向の上向き或いは下向きに分岐されて配索する必要がある場合が多い。
その場合、横出しコネクタをコネクタ受け治具に収容保持した状態で分岐結束すると、支線の方向が相違することとなる。
【０００６】
よって、支線４ｂを幹線に対して垂直方向に分岐させる必要がある場合には、コネクタ３を受け治具１ｂから取り外し、フリーの状態としたコネクタ３を横倒し状態として、幹線から支線が垂直方向となるように分岐位置をテープ巻き結束せざるを得ない。
しかしながら、上記方法であると、コネクタ３を受け治具１ｂから取り外してフリーな状態としてしまっているため、分岐位置の寸法精度を出すことができないという問題がある。
【０００７】
上記問題を解決するには、上記横出しコネクタ用の受け治具とは別に、分岐結束時に用いる別のコネクタ受け治具を配置する方法もある。この場合、横出しコネクタ用の受け治具に横出しコネクタを保持して、電線端末の端子の接続および電線の横出しを行った後に、上記別のコネクタ受け治具に移し変え、該コネクタ受け治具に横出しコネクタを垂直配置した状態で分岐位置のテープ巻き結束を行うと、幹線に対して支線を垂直方向に分岐させることは可能である。
しかしながら、上記分岐結束用の別のコネクタ受け治具は分岐位置の電線保持治具から所定寸法離れた位置に配置する必要があり、ワイヤハーネス組立作業台上には多数の治具が立設されているため、スペースを取りにくい問題がある。かつ、治具を増加させるために、コスト高になる問題もある。
【０００８】
本発明は、上記問題に鑑みてなされたものであり、電線横出しのコネクタを端末に接続する幹線から支線が垂直方向に分岐する場合、横出しコネクタ用の受け治具に横出しコネクタを収容した状態で、支線を幹線に対して垂直方向に分岐結束できるようにすることを課題としている。
【０００９】
【課題を解決するための手段】
上記課題を解決するため、本発明は、第１に、端子挿入面に対して電線が屈曲されて横出しされると共に相手方コネクタと結合用のレバーが備えられた横出しコネクタの受け治具であって、
ワイヤハーネス組立台から立設される支軸の上端に取り付けられる上面開口のボックス形状のコネクタ収容部を備え、該コネクタ収容部は、上記横出しコネクタを、その端子挿入面が水平方向の上面となる水平姿勢で装着できると共に、該水平姿勢より９０度向きを変えて上記端子挿入面を垂直方向の側面となる垂直姿勢で装着できる形状とし、かつ、一側壁に上記横出しコネクタを垂直姿勢出嵌合した時に上記レバーを挿通させるレバー用切欠を設けていることを特徴とする横出しコネクタの受け治具を提供している。
【００１０】
上記コネクタ受け治具では、コネクタ収容部の底壁に位置決め用凹部を設け、上記水平姿勢で横出しコネクタを装着した時に、該横出しコネクタの下部を上記位置決め用凹部に嵌合させて位置決め保持し、かつ、上記レバー用切欠を設けた側壁と直交方向の電線引出側の側壁に電線群引出用開口を設けている。
上記構成とすると、横出しコネクタを水平姿勢として電線端末の端子の挿入作業時に横出しコネクタを安定して支持することができる。
【００１１】
また、本発明は、第２に、上記横出しコネクタの受け治具に上記横出しコネクタを装着し、電線群を横出して行うワイヤハーネスの製造方法であって、
ワイヤハーネス組立台上には、上記横出しコネクタの受け治具に収容した上記横出しコネクタと接続する幹線の電線群と該幹線から分岐する支線の電線群とを支持する分岐用電線保持治具と、上記支線端末に接続された別のコネクタを保持する支線コネクタ受け治具を立設しており、
上記横出しコネクタの受け治具に水平姿勢で収容した上記横出しコネクタに、上記分岐用電線保持治具で支持された幹線の電線群の端子を挿入すると共に、上記支線の電線群を上記分岐用電線保持治具で支持して分岐させ、該支線端末のコネクタを上記支線コネクタ用受け治具で支持し、
上記横出しコネクタに上記幹線の電線群の端子を接続後に垂直姿勢として上記横出しコネクタ受け治具に挿入保持し、この状態で上記分岐用電線保持治具で支持された分岐位置で上記幹線と支線の電線群をテープ巻き結束して分岐方向を特定し、
上記幹線の経路に対して、上記支線コネクタ用受け治具の立設位置を直交方向のいずれか一方に配置することにより、支線を幹線に対して上向きあるいは下向きに分岐結束しているワイヤハーネスの製造方法を提供している。
【００１２】
上記のように、横出しコネクタ受け治具を、横出しコネクタを水平姿勢で嵌合保持できると共に、垂直姿勢でも嵌合保持できる形状としているため、横出しコネクタの受け治具に水平姿勢で装着して、横出しコネクタの端子収容室に上方より電線端末の端子を挿入係止した後、上記横出しコネクタを９０度向きを変えて垂直姿勢で横出しコネクタの受け治具に入れ直し、この状態で、横出しコネクタに接続する幹線と、該幹線から分岐する支線との分岐位置をテープ巻き結束して幹線に対する支線の向きを設定しているため、水平方向に配索されている幹線に対して支線は垂直方向の上向きあるいは下向きの配線方向とすることができる。かつ、幹線と支線とを分岐位置でテープ巻きして幹線に対する支線の向きを特定する作業時に、横出しコネクタを横出しコネクタの受け治具で嵌合保持しているため、支線の分岐位置の寸法精度を出すことができる。また、横出しコネクタを垂直姿勢と水平姿勢でそれぞれ収容する受け治具を別個に設ける必要がなく、ワイヤハーネス作業台上でスペースを取らず、１つのコネクタ受け治具を用いるだけで、ワイヤハーネスの支線方向を幹線に対して垂直方向に設定することができる。
【００１３】
また、上記支線コネクタ用受け治具の立設位置を上記幹線の経路に対して、直交方向のいずれか一方に配置しているが、直交方向に限らず傾斜させてもよいし、また、幹線の経路の両側に配置してもよい。
【００１４】
【発明の実施の形態】
以下、本発明の実施の形態を図面を参照して説明する。
図１乃至図７は、本発明の実施形態を示し、横出しコネクタの受け治具１００は、ワイヤハーネス組立台から立設される支軸１３の上端に、図１に示すコネクタ収容部１０を備え、該コネクタ収容部１０に電線を横出しする横出しコネクタ２０を嵌合保持している。
【００１５】
コネクタ収容部１０は、厚底の底壁部１１と側壁部１２とからなるボックス形状であり、底壁部１１と側壁部１２とで囲まれた内部空間Ｓ内に横出しコネクタ２０を嵌合保持している。底壁部１１の内面中央位置に位置決め用凹部１１ａを設け、横出しコネクタ２０を端子挿入面２１が水平方向の上面となる状態（以下、「水平姿勢」とする）で内部空間Ｓ内に装着したときに、横出しコネクタ２０の下部に突出する端子収容室２２を、上記位置決め用凹部１１ａに嵌合する形状としている。
【００１６】
また、電線引出側となる前端の側壁部１２の略中央に電線群引出用開口１２ａを設け、該開口１２ａの両側の切欠１２ｂ、１２ｃはそれぞれ所定の高さまで切り欠いている。上記前端の側壁部１２と直交方向の側壁部１２のうち、一方に長さ方向の略全長に亙る横長の切欠１２ｄを設けると共に、他方には、後端側に底壁部１１近傍まで縦長の切欠１２ｅを設けている。上記開口１２ａ、切欠１２ｄ、１２ｅには、横出しコネクタ２０の端子挿入面２１が切欠１２ｅ側に開口した状態（以下、「垂直姿勢」とする）で内部空間Ｓ内に嵌合したときに、横出しコネクタ２０の電線引出部２５、端子収容室２２、レバー２４がそれぞれ挿入されるように設定している。
【００１７】
図３に示すように、コネクタ収容部１０の底壁の中央位置にボルト穴１１ｂを設け、ワイヤハーネス組立台３０上に立設する支軸１３の上端に設けたボルトを上記ボルト穴１１ｂに挿入すると共に、ナット１４を締め付けて、コネクタ収容部１０を支軸１３の上端部に強固に固定している。
【００１８】
図４は、受け治具のコネクタ収容部１０に収容する横出しコネクタ２０を示し、複数の端子収容室２２の内部に端子挿入面２１から電線ｗの端末に接続された端子（図示せず）が挿入され、該端子に設けた係止部が各端子収容室２２に正規位置まで挿入されたとき、端子収容室２１の内部に設けたランス（図示せず）に係止される。横出しコネクタ２０の電線引き出し側の端部には半円環形状の電線引出部２５を突設し、該電線引出部２５の下部には補強リブ２３を設けて、電線引出部２５が屈曲及び破損しないよう補強している。また、横出しコネクタ２０は相手方コネクタとの結合用レバー２４を備え、該レバー２４は端子収容室２２の両側から上方に向けて突出するサイド片２４ａを端子収容室２２の上方を跨ぐ把持部２４ｂにより連結している。該レバー２４は、横出しコネクタ２０を相手方コネクタ（図示せず）と接続するまでは、端子挿入面２１の上部で且つ電線引出部２５と反対側に向けて傾斜させている。
【００１９】
本実施形態で使用するワイヤハーネス組立台３０は、所要箇所に横出しコネクタの受け治具１００、ワイヤハーネスＷ／Ｈの幹線Ｗ／Ｈ−１と該幹線Ｗ／Ｈ−１から分岐する支線Ｗ／Ｈ−２とを支持する分岐用電線保持治具１０１と支線Ｗ／Ｈ−２の端末に接続するコネクタ４０を位置決め保持するための支線コネクタ受け治具１０２を突設している。分岐用電線保持治具１０１は支軸上端にＵ形状の電線受け部を設けている。
【００２０】
次に、横出しコネクタの受け治具を用いたワイヤハーネスＷ／Ｈの製造方法について説明する。
まず、図５（Ａ）及び図６（Ａ）に示すように、横出しコネクタ受け治具１００のコネクタ収容部１０に横出しコネクタ２０を水平姿勢で嵌合し、幹線Ｗ／Ｈ−１の電線群ｗの端末に接続した端子を横出しコネクタ２０の端子収容室２２に上面の端子挿入面２１より挿入し、端子収容室２２内に係止している。
分岐用電線保持治具１０１で支線Ｗ／Ｈ−２を幹線Ｗ／Ｈ−１に対して水平方向に屈曲して分岐させると共に、支線Ｗ／Ｈ−２の端末に接続しているコネクタ４０を支線コネクタ受け治具１０２で支持している。
【００２１】
次に、横出しコネクタ２０に幹線端末の端子を挿入した後、図５（Ｂ）に示すように、横出しコネクタ２０をコネクタ収容部１０から取り外し、横出しコネクタ２０を９０度向きを変えて垂直姿勢としてコネクタ収容部１０に嵌合する。このとき、横出しコネクタ２０から突出する端子収容室２２をコネクタ収容部１０の切欠１２ｄに貫通させると共に、レバー２４を切欠１２ｅに貫通させて、横出しコネクタ２０をコネクタ収容部１０内に位置決め保持している。
【００２２】
この状態で、図６（Ｂ）に示すように、幹線の電線群ｗを横出しコネクタ２０の電線引出部２５にテープ巻き固定すると共に、分岐用電線保持治具１０１で保持されている幹線Ｗ／Ｈ−１と支線Ｗ／Ｈ−２の分岐位置をテープ巻き固定している。
最後に、ワイヤハーネスＷ／Ｈをワイヤハーネス組立台３０より取り外す。このワイヤハーネスは、図７に示すように、横出しコネクタ２０の端子挿入面２１を上面とした状態で、幹線Ｗ／Ｈ−１から支線Ｗ／Ｈ−２が下向きに分岐している。
【００２３】
上記構成とすると、横出しコネクタ２０の端子挿入面２１を上面に位置させた状態で、幹線Ｗ／Ｈ−１から下方に分岐する支線Ｗ／Ｈ−２を備えたワイヤハーネスをワイヤハーネス組立台３０上で容易に組み立てることができる。かつ、支線Ｗ／Ｈ−２と幹線Ｗ／Ｈ−１との分岐位置をテープ巻き結束して幹線に対する支線の方向を特定する際に、横出しコネクタ２０はコネクタ収容部１０内に嵌合保持してテープ巻き作業することができるため、幹線と支線との分岐位置の寸法精度を出すことができる。また、横出しコネクタ２０を垂直姿勢および水平姿勢で嵌合する受け治具をそれぞれ別個に設ける必要がない。
【００２４】
また、上記支線Ｗ／Ｈ−２をワイヤハーネス組立台３０上において、ワイヤハーネスＷ／Ｈの幹線Ｗ／Ｈ−１に対して対称方向に分岐させるか、もしくは、コネクタ２０を上記実施形態と逆方向に倒すことにより、幹線Ｗ／Ｈ−１から上方に支線を分岐させることが出来る。
【００２５】
【発明の効果】
以上の説明より明らかなように、本発明によれば、横出しコネクタの受け治具のコネクタ収容部を水平姿勢と垂直姿勢で嵌合保持できる形状としているため、横出しコネクタを水平姿勢で嵌合して、その端子収容室に電線端末の端子を挿入した後、上記横出しコネクタを取り外して、９０度向きをかえて垂直姿勢としてコネクタ収容部に嵌合することができる。この垂直姿勢とした状態で、横出しコネクタと接続した幹線と支線とを分岐位置でテープ巻き結束すると、ワイヤハーネス組立台上で水平に布線している支線を、幹線に対して上下垂直方向に分岐させることが出来る。
【００２６】
また、横出しコネクタを受け治具のコネクタ収容部内に嵌合保持した状態で、分岐用電線受け治具で保持されている幹線と支線とをテープ巻き結束して分岐位置を設定するため、分岐位置から幹線端末および支線端末までの寸法精度を出すことができる。
さらに、１つの受け治具で横出しコネクタを水平姿勢及び垂直姿勢で嵌合保持できるため、コネクタ受け治具を別個に設ける必要がなく、ワイヤハーネス組立台上でのスペースをとらない利点を有する。
【図面の簡単な説明】
【図１】実施形態の横出しコネクタ受け治具を示す斜視図である。
【図２】上記コネクタ受け治具のコネクタ収容部を示し、（Ａ）は平面図、（Ｂ）は右側面図、（Ｃ）は正面図である。
【図３】上記コネクタ受け治具をワイヤハーネス組立台の支軸に固定した状態を示す図面である。
【図４】横出しコネクタを示し、（Ａ）は平面図、（Ｂ）は左側面図、（Ｃ）はＩ−Ｉ線断面図である。
【図５】（Ａ）はコネクタ受け治具のコネクタ収容部に横出しコネクタを水平姿勢で嵌合した状態を示す平面図、（Ｂ）は垂直姿勢で装着した状態を示す平面図である。
【図６】（Ａ）、（Ｂ）はワイヤハーネスの製造工程を示す図面である。
【図７】本発明の横出しコネクタの受け治具を用いて製造したワイヤハーネスを示す斜視図である。
【図８】従来例を示す図面である。
【図９】従来例の治具を用いたワイヤハーネスの製造方法を示す図面である。
【符号の説明】
１０    コネクタ収容部
１１ａ  位置決め用凹部
１２ｅ  レバー用切欠
２０    横出しコネクタ
２１    端子挿入面
２２    端子収容室
２５    電線引出部
２４    レバー
３０    ワイヤハーネス組立台
４０    コネクタ
１００  横出しコネクタ受け治具
１０１  分岐用電線保持治具
１０２  支線コネクタ受け治具
ｗ      電線群
Ｗ／Ｈ  ワイヤハーネス
Ｗ／Ｈ−１  幹線
Ｗ／Ｈ−２  支線
【図１】
2004220858.tif 000003
【図２】
2004220858.tif 000004
【図３】
2004220858.tif 000005
【図４】
2004220858.tif 000006
【図５】
2004220858.tif 000007
【図６】
2004220858.tif 000008
【図７】
2004220858.tif 000009
【図８】
2004220858.tif 000010
【図９】
2004220858.tif 000011